(57)【要約】【課題】杖の底部に取り付けて警告機能又は照明機能を得て、暗い環境下でユーザが危険な目にあうことを防ぐことができる発光脚部パッドを提供する。【解決手段】発光脚部パッド１００は、杖の底部に取り付け、杖の底部が嵌合されるスリーブ１０と、スリーブ１０に結合されて杖の底部に挿着されるスリーブベース２０と、スリーブベース２０の底部と組み合わされるベース３０と、ベース３０上に固定され、スリーブベース２０とベース３０との間に位置する少なくとも１つの発光素子４０と、発光素子４０と接続され、発光素子４０のオン／オフを制御する制御素子とを備える。スリーブベース２０の底部は、発光素子４０から射出された光線を透過させる光透過材料からなる。スリーブ１０とスリーブベース２０の結合部２１とには、互いに対応する内歯部１１及び外歯部２２が形成され、スリーブ１０とスリーブベース２０とが噛合してなる。【選択図】図１
0003200661.tif 000002
【実用新案登録請求の範囲】
【請求項１】
杖の底部に取り付ける発光脚部パッドであって、
前記杖の底部が嵌合されるスリーブと、
前記スリーブに結合されて前記杖の底部に挿着されるスリーブベースと、
前記スリーブベースの底部と組み合わされるベースと、
前記ベース上に固定され、前記スリーブベースと前記ベースとの間に位置する少なくとも１つの発光素子と、
前記発光素子と接続され、前記発光素子のオン／オフを制御する制御素子と、を備え、
前記スリーブベースの底部が、前記発光素子から射出された光線を透過させる光透過材料からなることを特徴とする発光脚部パッド。
【請求項２】
前記スリーブと前記スリーブベースの結合部とには、互いに対応する内歯部及び外歯部が形成され、前記スリーブと前記スリーブベースとが噛合する請求項１に記載の発光脚部パッド。
【請求項３】
前記スリーブベースと前記ベースとを組み合わせる際、前記ベースに前記スリーブベースを固定する固定部材をさらに備える請求項１に記載の発光脚部パッド。
【請求項４】
前記制御素子が、前記発光素子のオン／オフを制御するタッチスイッチである請求項１又は２に記載の発光脚部パッド。
【請求項５】
前記制御素子が、前記発光素子のオン／オフを制御する振動スイッチである請求項１又は３に記載の発光脚部パッド。
【考案の詳細な説明】
【技術分野】
【０００１】
本考案は、杖等の底部に取り付ける脚部パッドに関し、特に、発光する脚部パッドに関する。
【背景技術】
【０００２】
杖（歩行器とも称する）は、老人、足を負傷した患者、身体障害者などの身体が不自由な者又は登山者（以下「ユーザ」という）が立ったり歩いたりする際に使用する重要な道具であり、その主な機能は、ユーザを支える支持点を提供し、ユーザの足にかかる負担を減らすことにある。
【０００３】
従来の杖は、手で持って使用する杖と、脇に当てて使用する松葉杖とに大別される。手で持って使用する杖は、頂部にハンドルが設けられ、ユーザが立ったり歩いたりする際にハンドルを握って力を加え、地面に押し当てて使用する。脇に当てて使用する松葉杖は、ユーザの脇に当てる弧状横杆（即ち、脇当て）を頂部に有し、ユーザが立ったり歩いたりする際、前記弧状横杆を脇に挟んで地面に押し当てて使用する。
【０００４】
上述したような杖、松葉杖などの従来の杖は、１点支持又は４点支持の底端を一般に有し、杖が地面に接触した際にユーザに加わる反作用の衝撃を和らげて滑り止めの機能を提供するために、杖の底端には脚部パッド（通常、ゴム材料からなる）が嵌合されている。また、杖の脚部パッドが有する弾性により、ユーザが杖を地面に押し当てる際に発生する反作用力を和らげ（即ち、反作用力により発生する振動がユーザに伝わることを防ぐ）、スムーズに使用できるようにするとともに、杖の脚部パッドが地面に接するときの摩擦力を高めて滑り止め効果を得る。
【０００５】
しかし、ある環境下（例えば、ユーザが夜間又は光が十分でない暗い場所を歩くとき）にあるとき、従来の杖は警告機能又は照明機能を備えていなかったため、光が十分でない暗い環境下でユーザが危険な目にあうおそれがあった。
【考案の概要】
【考案が解決しようとする課題】
【０００６】
本考案の主な目的は、杖の底部に取り付けて警告機能又は照明機能を得て、暗い環境下でユーザが危険な目にあうことを防ぐことができる発光脚部パッドを提供することにある。
本考案のもう一つの目的は、振動スイッチ又はタッチスイッチにより制御し、必要に応じて警告機能又は照明機能を得ることができる発光脚部パッドを提供することにある。
【課題を解決するための手段】
【０００７】
上記課題を解決するために、本考案の第１の形態によれば、杖の底部に取り付ける発光脚部パッドであって、前記杖の底部が嵌合されるスリーブと、前記スリーブに結合されて前記杖の底部に挿着されるスリーブベースと、前記スリーブベースの底部と組み合わされるベースと、前記ベース上に固定され、前記スリーブベースと前記ベースとの間に位置する少なくとも１つの発光素子と、前記発光素子と接続され、前記発光素子のオン／オフを制御する制御素子と、を備え、前記スリーブベースの底部は、前記発光素子から射出された光線を透過させる光透過材料からなる発光脚部パッドが提供される。
【０００８】
前記スリーブと前記スリーブベースの結合部とには、互いに対応する内歯部及び外歯部が形成され、前記スリーブと前記スリーブベースとが噛合することが好ましい。
【０００９】
前記スリーブベースと前記ベースとを組み合わせる際、前記ベースに前記スリーブベースを固定する固定部材をさらに備えることが好ましい。
【００１０】
前記制御素子は、前記発光素子のオン／オフを制御するタッチスイッチであることが好ましい。
【００１１】
前記制御素子は、前記発光素子のオン／オフを制御する振動スイッチであることが好ましい。
【考案の効果】
【００１２】
本考案の発光脚部パッドは、杖の底部に取り付けて警告機能又は照明機能を得て、暗い環境下でユーザが危険な目にあうことを防ぐことができる。
【図面の簡単な説明】
【００１３】
【図１】図１は、本考案の第１実施形態に係る発光脚部パッドを示す分解斜視図である。
【図２】図２は、本考案の第２実施形態に係る発光脚部パッドを示す分解斜視図である。
【図３】図３は、本考案の一実施形態に係る発光脚部パッドを杖の底部に取り付けた使用状態の説明図である。
【図４】図４は、本考案の他の実施形態に係る発光脚部パッドを杖の底部に取り付けた使用状態の説明図である。
【考案を実施するための形態】
【００１４】
以下、本考案の実施形態について図に基づいて説明する。なお、これによって本考案が限定されるものではない。
【００１５】
（第１実施形態）
図１、図３及び図４を参照する。図１は、本考案の第１実施形態に係る発光脚部パッド１００を示す分解斜視図である。
【００１６】
図１に示すように、本考案の第１実施形態に係る発光脚部パッド１００は、少なくともスリーブ１０と、スリーブベース２０と、ベース３０と、発光素子４０と、発光素子４０を制御する制御素子と、から構成されてなる。
【００１７】
スリーブ１０には、杖２００の底部が嵌合され、その固定方式には、接着方式、かしめ固定など様々な固定方式を用いてもよい。スリーブ１０の長さ、形状及び弾性係数は、スリーブ１０が杖２００の底部に強固に嵌合できるように調整してもよい。スリーブ１０は、緩衝、振動防止などの効果が得られるように、例えば、ゴムなど、弾性を有する材料からなることが好ましい。
【００１８】
スリーブベース２０は、スリーブ１０を固定するために用い、スリーブ１０を結合する結合部２１を有する。結合部２１には、内壁周囲に形成された凹溝又は貫通溝によりスリーブ１０及び杖２００の底部が収容され、杖２００の底部が挿着される。
【００１９】
また、スリーブ１０とスリーブベース２０の結合部２１とには、互いに対応した内歯部１１及び外歯部２２が形成され、スリーブ１０とスリーブベース２０とが噛合すると杖２００が固定される（但し、本考案のスリーブ１０とスリーブベース２０との結合方式はこれだけに限定されるわけではない）。また、第１実施形態において、スリーブ１０及びその内歯部１１は弾性材料からなり、スリーブベース２０及びその外歯部２２は、硬めの材料からなる。このように、軟らかめの材料と硬めの材料とを組み合わせることにより、スリーブ１０とスリーブベース２０とはより強固に固定される。
【００２０】
ベース３０とスリーブベース２０の底部とを組合せて両者間に形成された空間には、他の部材が収容される。第１実施形態のスリーブベース２０の底部は天蓋状を呈し、天蓋状の底部により囲まれて形成された中空部とベース３０の頂部とにより収容空間が形成される。しかし、本考案のスリーブベース２０とベース３０との組合せ方式はこれだけに限定されるわけではない。また、ベース３０は、発光脚部パッド１００を使用するときの摩擦力を高めるために（即ち、滑り止め効果を高めるために）、ゴムなどからなって弾性を備えてもよい。
【００２１】
発光素子４０は、収容空間中に設置される。発光素子４０は、点灯されるか、回路基板（図示せず）により制御して点滅される。スリーブベース２０の底部は、発光素子４０から射出した光線を透過させるために、光透過材料からなってもよい。
【００２２】
第１実施形態の制御素子は、発光素子４０と接続して発光素子４０のオン／オフを制御するタッチスイッチ５０でもよい。例えば、タッチスイッチ５０には、プッシュスイッチ（例えば、ロッカースイッチ）又はタッチセンサースイッチを用いてもよい。
【００２３】
ユーザが第１実施形態の発光脚部パッド１００を実際に使用する際、スリーブ１０を介して杖２００の底部をスリーブベース２０上に固定し（スリーブ１０の長さ、形状及び弾性係数は必要に応じて変更してもよく、例えば、杖２００のタイプに応じて設計してもよい）、緩衝、振動防止などの機能を得てもよい。また、スリーブベース２０とベース３０とから構成される空間中に収容される発光素子４０の点灯又は点滅により警告機能又は照明機能を得て、暗い環境下でユーザが危険な状況にあうことを防いでもよい。また、ユーザは、タッチスイッチ５０に触れて発光素子４０のオン／オフを行ってもよい。
【００２４】
（第２実施形態）
図２、図３及び図４を参照する。図２は、本考案の第２実施形態に係る発光脚部パッド１００を示す分解斜視図である。
【００２５】
図２に示すように、本考案の第２実施形態に係る発光脚部パッド１００は、少なくともスリーブ１０と、スリーブベース２０と、ベース３０と、発光素子４０と、発光素子４０を制御する制御素子と、から構成されてなる。
【００２６】
スリーブ１０及びスリーブベース２０は、第１実施形態と構造が異なるが、それらは杖２００の底部を固定するために設計されている。言い換えれば、第２実施形態のスリーブ１０とスリーブベース２０との結合方式には、噛合方式の他、その他の方式を用いてもよい。例えば、スリーブ１０の上端及び下端には、杖２００の底部と、スリーブベース２０とがそれぞれ嵌合され、スリーブベース２０は、杖２００の底部が直接、挿着される結合部２１を有する。
【００２７】
第２実施形態のスリーブベース２０とベース３０との組合せ方式は、前記第１実施形態と異なる。第２実施形態において、スリーブベース２０の底部は円柱状を呈する。ベース３０は、環状であり、スリーブベース２０を囲むように組み合わされる。
【００２８】
また、発光脚部パッド１００は固定部材６０を含み、スリーブベース２０とベース３０とを組み合わせる際、固定部材６０を介してスリーブベース２０をベース３０に固定させる。
【００２９】
第２実施形態の制御素子は、発光素子４０と接続され（ベース３０内に位置するが、図２では図示されていない）、発光素子４０のオン／オフを制御する振動スイッチ（振動センサとも称する）である（図示せず）。同様に、ベース３０をスリーブベース２０の底部と組み合わせ、両者間に他の部材を収容する空間を形成する。例えば、振動スイッチが発光素子とともに空間に取り付けられ、ベース３０内に取り付けられる。スリーブベース２０の底部は、発光素子４０から射出された光線を透過させる光透過材料からなる。
【００３０】
ユーザが実際に第２実施形態の発光脚部パッド１００を使用する際、杖２００の底部をスリーブベース２０上へ直接挿着し、スリーブ１０をそれぞれ固定し（例えば、杖２００のタイプに応じて、スリーブ１０の長さ、形状及び弾性係数を選択する）、緩衝、振動防止などの機能を得る。また、ユーザが歩いて移動する際、振動スイッチを使用して発光素子４０の点灯又は点滅を決定するとともに、発光素子４０の点滅間隔を決定してもよい。
【００３１】
また、第２実施形態の発光素子４０のオン／オフは、例えば、ディップスイッチなどのその他のタイプのスイッチにより制御してもよい。
【００３２】
図３及び図４を参照する。図３は、本考案の一実施形態に係る発光脚部パッドを杖の底部に取り付けた使用状態の説明図である。図４は、本考案の他の実施形態に係る発光脚部パッドを杖の底部に取り付けた使用状態の説明図である。図３及び図４に示すように、第１及び第２実施形態の発光脚部パッド１００には、異なるタイプの杖２００を取り付けてもよい。
【符号の説明】
【００３３】
１０      スリーブ
１１      内歯部
２０      スリーブベース
２１      結合部
２２      外歯部
３０      ベース
４０      発光素子
５０      タッチスイッチ
６０      固定部材
１００    発光脚部パッド
２００    杖
【図１】
0003200661.tif 000003
【図２】
0003200661.tif 000004
【図３】
0003200661.tif 000005
【図４】
0003200661.tif 000006